(57)【特許請求の範囲】
【請求項１】
使用者による、通話相手に電話をかけるための電話番号の入力である発信操作を検知する検知手段と、
自己の位置を示す位置情報を取得する取得手段と、
前記検知手段により発信操作が検知された場合に、前記取得手段により取得された位置情報から該位置情報に対応する変換位置情報への変換を要求する要求手段と、
前記検知手段により発信操作が検知された場合に、前記要求手段による要求と並行して、前記使用者が入力する付加情報を受け付ける情報受付手段と、
前記要求手段による要求に応じて変換された変換位置情報及び前記情報受付手段が受け付けた付加情報を、着信側移動機への発信時に前記着信側移動機に送信する送信手段とを備え、
前記取得手段は、前記検知手段により発信操作が検知された場合に、前記要求手段による前記変換の要求に先立って前記位置情報を取得し、
前記情報受付手段は、前記取得手段による位置情報の取得及び前記要求手段による変換の要求と並行して、前記使用者が入力する付加情報を受け付ける、
移動機。
【請求項２】
使用者による、通話相手に電話をかけるための電話番号の入力である発信操作を検知する検知ステップと、
自己の位置を示す位置情報を取得する取得ステップと、
前記検知ステップにおいて発信操作が検知された場合に、前記取得ステップにおいて取得された位置情報から該位置情報に対応する変換位置情報への変換を要求する要求ステップと、
前記検知ステップにおいて発信操作が検知された場合に、前記要求ステップにおける要求と並行して、前記使用者が入力する付加情報を受け付ける情報受付ステップと、
前記要求ステップにおける要求に応じて変換された変換位置情報及び前記情報受付ステップが受け付けた付加情報を、着信側移動機への発信時に前記着信側移動機に送信する送信ステップとを備え、
前記取得ステップは、前記検知ステップにおいて発信操作が検知された場合に、前記要求ステップにおける前記変換の要求に先立って前記位置情報を取得し、
前記情報受付ステップは、前記取得ステップにおける位置情報の取得及び前記要求ステップにおける変換の要求と並行して、前記使用者が入力する付加情報を受け付ける、
発信方法。
【請求項３】
請求項１に記載の移動機と着信側移動機とを備え、
前記着信側移動機は、
前記移動機から着信があった場合に、前記移動機により送信された前記変換位置情報及び前記付加情報を受信する受信手段と、
前記着信側移動機の使用者が着信に応答する前に、前記受信手段により受信した前記変換位置情報及び前記付加情報を表示する表示手段とを備える通話システム。
【発明の詳細な説明】
【技術分野】
【０００１】
この発明は、移動機、発信方法及び通話システムに関するものである。
【背景技術】
【０００２】
従来から、発信とともに自己の位置情報を通信相手に送信する技術が知られている。例えば、下記特許文献１には、ＧＰＳ（Global Positioning System）受信部と、発信者番号通知に用いる信号に位置情報を付加するか否かを設定する設定部とを備え、位置情報を付加する設定がされている場合に、発信者番号通知に用いる信号に位置情報を付加して発呼を行う携帯端末が開示されている。
【０００３】
また、下記特許文献２には、予め登録された複数のメッセージデータの中から選択されたメッセージデータを呼設定時に送信する発呼者情報に含ませ、この発呼者情報を着呼側電話機に対して送信して呼設定を行う発呼側電話機と、この発呼側電話機からの呼設定を受け付けてメッセージデータを含む発呼者情報を受信し、この発呼者情報からメッセージデータを抽出してメッセージ表示する着呼側電話機とを備える電話機システムが開示されている。
【特許文献１】特開２００２−１５９０４０号公報
【特許文献２】特開平８−２７４８９５号公報
【発明の開示】
【発明が解決しようとする課題】
【０００４】
しかし、このような位置情報を最新の情報として取得又は編集するにはある程度の時間（例えば１〜２分程度）を要する。このため、緯度経度等の位置情報を電話機システムを利用して通話相手に送信するとなると、発信者は位置情報の送信準備が完了するまで長時間待機することになり、移動機の利便性が低下する。このような移動機の利便性低下を防止するためには、位置情報の取得又は編集に要する時間を短縮して、発信者の待機時間を短縮することが考えられる。しかし、位置情報の取得又は編集を短時間で実現する技術を開発するのは容易でない。
【０００５】
そこで、本発明は、上記課題に鑑みて為されたものであり、発信時に位置に関する情報を生成する際に使用者が感じる待ち時間を最小限にすることによって移動機の利便性を向上させることが可能な移動機、発信方法及び通話システムを提供することを目的とする。
【課題を解決するための手段】
【０００６】
本発明の移動機は、使用者による発信操作を検知する検知手段と、自己の位置を示す位置情報を取得する取得手段と、検知手段により発信操作が検知された場合に、取得手段により取得された位置情報から該位置情報に対応する変換位置情報への変換を要求する要求手段と、要求手段による要求と並行して、使用者が入力する付加情報を受け付ける情報受付手段と、要求手段による要求に応じて変換された変換位置情報及び情報受付手段が受け付けた付加情報を、着信側移動機への発信時にその着信側移動機に送信する送信手段とを備える。
【０００７】
また、本発明の発信方法は、使用者による発信操作を検知する検知ステップと、自己の位置を示す位置情報を取得する取得ステップと、検知ステップにおいて発信操作が検知された場合に、取得ステップにおいて取得された位置情報から該位置情報に対応する変換位置情報への変換を要求する要求ステップと、要求ステップにおける要求と並行して、使用者が入力する付加情報を受け付ける情報受付ステップと、要求ステップにおける要求に応じて変換された変換位置情報及び情報受付ステップが受け付けた付加情報を、着信側移動機への発信時にその着信側移動機に送信する送信ステップとを備える。
【０００８】
これらの移動機及び発信方法によれば、発信操作が検知された場合に、取得した位置情報からこの位置情報に対応する変換位置情報への変換が要求される。また、この変換の要求と並行して、使用者が入力する付加情報が受け付けられる。そして、着信側移動機への発信時に、要求に応じて変換された変換位置情報と付加情報とが着信側移動機に送信される。これにより、移動機の使用者は、移動機が位置情報に対応する変換位置情報を取得する時間を利用して付加情報を入力することができるので、発信時に位置に関する情報を生成する際に使用者が感じる待ち時間を短縮することができるとともに、発信の際に変換位置情報及び付加情報を通話相手に効率的に伝達することができる。
【０００９】
本発明の移動機において、取得手段は、検知手段により発信操作が検知された場合に位置情報を取得し、情報受付手段は、取得手段による位置情報の取得及び要求手段による変換の要求と並行して、使用者が入力する付加情報を受け付けるのが好ましい。
【００１０】
また、本発明の発信方法において、取得ステップは、検知ステップにおいて発信操作が検知された場合に位置情報を取得し、情報受付ステップは、取得ステップにおける位置情報の取得及び要求ステップにおける変換の要求と並行して、使用者が入力する付加情報を受け付けるのが好ましい。
【００１１】
これらの場合、発信操作が検知された場合に、位置情報を取得する処理及び変換を要求する処理と並行して、使用者が入力する付加情報が受け付けられる。これにより、移動機の使用者は、移動機が変換位置情報を取得する時間だけでなく、移動機が位置情報を取得する時間も利用して付加情報を入力することができる。その結果、位置に関する情報を生成する際に使用者が感じる待ち時間を更に短縮することができる。
【００１２】
本発明の通話システムは、請求項１又は２に記載の移動機と着信側移動機とを備え、着信側移動機は、移動機から着信があった場合に、移動機により送信された変換位置情報及び付加情報を受信する受信手段と、着信側移動機の使用者が着信に応答する前に、受信手段により受信した変換位置情報及び付加情報を表示する表示手段とを備える。
【００１３】
この通話システムによれば、上述の移動機から着信があった場合に、着信側移動機において変換位置情報及び付加情報が受信され、着信側移動機の使用者が着信に応答する前に、受信した変換位置情報及び付加情報が表示される。これにより、着信側移動機の使用者は、着信に対して応答する前に、上述の移動機の位置に関する情報やそれに付加された情報を視覚的に確認することができる。
【発明の効果】
【００１４】
本発明の移動機、発信方法及び通話システムによれば、発信時に位置に関する情報を生成する際に使用者が感じる待ち時間を最小限にすることによって移動機の利便性を向上させることができる。
【発明を実施するための最良の形態】
【００１５】
以下、添付図面を参照しながら本発明の実施形態を詳細に説明する。なお、図面の説明において同一の要素には同一の符号を付し、重複する説明を省略する。
【００１６】
まず、図１を用いて、本発明に係る通話システム１の構成について説明する。図１は、通話システム１の構成を示す図である。通話システム１は、発信側携帯電話機（移動機）１０と着信側携帯電話機（着信側移動機）２０とが、発信側基地局３１、着信側基地局３２及び接続サーバ３３を含む移動体通信網３０を介して通話及びデータ送受信を行うシステムである。この通話システム１において、発信側携帯電話機１０は、接続サーバ３３を介してインターネット４０に接続し、住所サーバ４１とデータの送受信を行うことが可能である。また、発信側携帯電話機１０は、複数のＧＰＳ衛星５０と通信を行うことで、自己の存在する位置を取得することが可能である。
【００１７】
なお、便宜上、発信側携帯電話機１０、着信側携帯電話機２０、発信側基地局３１、着信側基地局３２、接続サーバ３３及び住所サーバ４１は一つのみ図示しているが、それぞれ複数含まれていてもよい。また、本実施形態では移動機として携帯電話機を用いているが、簡易型携帯電話機（ＰＨＳ：Personal Handy-phone System）、あるいは携帯型情報端末（ＰＤＡ：Personal Digital Assistant）などを移動機として利用してもよい。更に、本実施形態では、接続サーバ３３と住所サーバ４１とはインターネットを介して接続されているが、ＬＡＮ（Local Area Network）を介して接続されていてもよい。
【００１８】
次に、図２を用いて、本発明に係る発信側携帯電話機１０の機能構成について説明する。図２は、発信側携帯電話機１０の機能構成を示すブロック図である。発信側携帯電話機１０は、図２に示すように、機能的構成要素として発信操作検知部（検知手段）１１、緯度経度取得部（取得手段）１２、住所要求部（要求手段）１３、情報受付部（情報受付手段）１４及び送信部（送信手段）１５を備えている。
【００１９】
次に、図３を用いて、発信側携帯電話機１０のハードウェア構成について説明する。図３は発信側携帯電話機１０のハードウェア構成を示す図である。図３に示すように、発信側携帯電話機１０は、オペレーティングシステムやアプリケーションプログラムなどを実行するＣＰＵ１０１、ＲＯＭ及びＲＡＭで構成される主記憶部１０２、メモリやハードディスクなどで構成される補助記憶部１０３、移動体通信網３０を介して発信、着信及びデータ送受信を行う通信制御部１０４、液晶モニタなどで構成される表示部１０５ならびに文字・数字入力及び実行指示を行うキーで構成される操作部１０６により構成される。
【００２０】
図２示して説明した各機能は、図３に示すＣＰＵ１０１及び主記憶部１０２の上に所定のソフトウェアを読み込ませ、ＣＰＵ１０１の制御の下で通信制御部１０４を動作させるとともに、主記憶部１０２や補助記憶部１０３におけるデータの読み出し及び書き込みを行うことで実現される。
【００２１】
発信操作検知部１１は、発信側携帯電話機１０の使用者（以下「発信側使用者」という）が操作部１０６を用いて行った発信操作を検知し、検知したことを示す検知信号を緯度経度取得部１２及び情報受付部１４に出力する。なお、発信操作とは、発信側使用者が通話相手に電話をかけるために操作部１０６上のキーを押下することをいう。例えば、発信側使用者が着信側携帯電話機２０の電話番号を直接入力したり、補助記憶部１０３などに格納されている電話帳、発信履歴又は着信履歴から電話番号を選択したりするための操作をいう。
【００２２】
緯度経度取得部１２は、発信操作検知部１１により検知信号が入力されたことを条件として（発信操作が検知された場合に）、発信側携帯電話機１０の自己の位置を示す緯度経度（位置情報）を取得する。この緯度経度は、複数のＧＰＳ衛星５０から放射される位置測位用の電波を受信し、受信した複数の電波の到着時間の差を計算することで測定することができる。そして、緯度経度取得部１２は、取得した緯度経度を住所要求部１３に出力する。なお、緯度経度は、例えば「１３９°４６′０９″  ３５°４０′４１″」のように表され、この例は「東経１３９度４６分０９秒、北緯３５度４０分４１秒」を意味する。
【００２３】
住所要求部１３は、緯度経度取得部１２により入力された緯度経度からこの緯度経度に対応する住所（変換位置情報）への変換を要求するための要求通知を作成する。この要求通知は、少なくとも、携帯電話機を識別するための端末ＩＤと、入力された緯度経度とを含む。例えば、端末ＩＤ「携帯電話機Ａ」と入力された緯度経度「１３９°４６′０９″  ３５°４０′４１″」とを含む要求通知が作成される。そして、住所要求部１３は、緯度経度を該緯度経度に対応する住所に変換する住所サーバ４１に作成した要求通知を送信する。これに対して、住所サーバ４１により、住所要求部１３から送信された要求通知が受信される。そして、住所サーバ４１により、要求通知に含まれる緯度経度と住所とが対応付けられているテーブルが検索され、要求通知に含まれる緯度経度に対応する住所が取得される。そして、住所サーバ４１により、このようにして取得された住所を返信するための住所通知が作成されて発信側携帯電話機１０に送信される。この住所通知は、少なくとも、発信側携帯電話機１０を識別するための端末ＩＤと、取得した住所とを含む。
【００２４】
図４は、住所サーバ４１が検索するテーブルの例を示す図である。このテーブルには、少なくとも緯度経度と住所とが対応付けられたレコードが格納される。例えば、緯度経度「１３９°４６′０９″  ３５°４０′４１″」と住所「東京都千代田区丸の内１丁目４番１号」とが対応付けられたレコードが格納される。住所サーバ４１により端末ＩＤ「携帯電話機Ａ」と緯度経度「１３９°４６′０９″  ３５°４０′４１″」とを含む要求通知が受信された場合、住所サーバ４１により住所「東京都千代田区丸の内１丁目４番１号」が取得される。そしてこの場合、住所サーバ４１から発信側携帯電話機１０に、端末ＩＤ「携帯電話機Ａ」と、住所「東京都千代田区丸の内１丁目４番１号」とを含む住所通知が送信される。
【００２５】
なお、住所サーバ４１が検索するテーブルの構成は、図４に示したものに限定されない。例えば、住所に該当する緯度経度を「１３９°４６′０５″  ３５°４０′３５″〜１３９°４６′１５″  ３５°４０′４５″」のような範囲で示してもよい。この場合、住所サーバ４１により、このような緯度経度の範囲に受信した緯度経度が含まれるレコードが検索されることで、受信した緯度経度に対応する住所が取得される。
【００２６】
住所要求部１３は、住所サーバ４１が送信した住所通知を受信する。そして、緯度経度取得部１２により入力された緯度経度と、受信した住所通知に含まれる住所（要求に応じて変換された変換位置情報）とを対応付けて主記憶部１０２などに保持する。例えば、入力された緯度経度「１３９°４６′０９″  ３５°４０′４１″」と、住所通知に含まれる住所「東京都千代田区丸の内１丁目４番１号」を対応付けて保持する。また、住所要求部１３は、緯度経度と住所との対応付けを位置履歴として補助記憶部１０３などに格納する。格納した緯度経度と住所との対応付けは、位置履歴として再度読み出すことが可能である。
【００２７】
情報受付部１４は、発信操作検知部１１から検知信号が入力されると、緯度経度取得部１２による緯度経度の取得処理及び住所要求部１３による要求処理と並行して、発信側使用者によるメッセージ（付加情報）の入力を受け付ける。そして、情報受付部１４は、入力されたメッセージを主記憶部１０２などに保持する。例えば、「緊急、会議の件」というメッセージが受け付けられて保持される。なお、メッセージの入力方法は、操作部１０６から直接メッセージを入力する方法に限定されない。例えば、補助記憶部１０３などに格納されている定型文リスト又は送信メッセージ履歴から送信するメッセージを選択してもよい。また、受け付ける情報はテキスト形式のメッセージに限られない。例えば、テキストの他に、絵文字や写真などの画像データ、ビデオクリップなどの動画データ、音声データなどが含まれていてもよい。
【００２８】
送信部１５は、着信側携帯電話機２０への発信時に、住所要求部１３が保持する緯度経度と住所との対応付けと、情報受付部１４が保持するメッセージとを読み出し、これら緯度経度、住所（変換位置情報）及びメッセージを発信要求信号として着信側携帯電話機２０に送信する。
【００２９】
次に、図５を用いて、本発明に係る着信側携帯電話機２０の機能構成について説明する。図５は、着信側携帯電話機２０の機能構成を示すブロック図である。着信側携帯電話機２０は、図５に示すように、機能的構成要素として受信部（受信手段）２１、情報表示部（表示手段）２２及び格納部２３を備えている。
【００３０】
着信側携帯電話機２０のハードウェア構成は発信側携帯電話機１０と同様であり、図５を用いて説明した各機能は、図３に示すＣＰＵ１０１及び主記憶部１０２の上に所定のソフトウェアを読み込ませ、ＣＰＵ１０１の制御の下で通信制御部１０４を動作させるとともに、主記憶部１０２や補助記憶部１０３におけるデータの読み出し及び書き込みを行うことで実現される。
【００３１】
受信部２１は、発信側携帯電話機１０から着信があった場合に、この発信側携帯電話機１０から送信された発信要求信号に含まれる緯度経度、住所及びメッセージを受信し、これら緯度経度、住所及びメッセージを情報表示部２２及び格納部２３に出力する。ここで、発信要求信号に含まれる緯度経度、住所及びメッセージは、移動体通信網３０を経由する際に着信要求信号に含められて、着信側携帯電話機２０に送出される。
【００３２】
情報表示部２２は、受信部２１により入力された緯度経度、住所及びメッセージを表示部１０５に表示する。例えば、緯度経度「１３９°４６′０９″  ３５°４０′４１″」、住所「東京都千代田区丸の内１丁目４番１号」及びメッセージ「緊急、会議の件」が入力された場合は、後述する図９（ａ）に示すような着信画面を表示する。なお、緯度経度、住所及びメッセージの表示は、受信した内容をそのまま表示する形式に限定されない。例えば、情報を受信したことをアイコンにより表現してもよい。図９（ａ）に示す着信画面では、緯度経度を受信したことを「位置情報」というアイコンで表現している。
【００３３】
格納部２３は、受信部２１により入力された緯度経度、住所及びメッセージを補助記憶部１０３などに格納する。格納された緯度経度、住所及びメッセージは、例えば、着信履歴の一部として再表示することが可能である。
【００３４】
次に、図６を用いて、発信側携帯電話機１０の動作について説明する。図６は、発信側携帯電話機１０の動作を示すフローチャートである。
【００３５】
発信側使用者による発信操作が発信操作検知部１１により検知されると（Ｓ１０１、検知ステップ）、その検知を条件に、緯度経度取得部１２により緯度経度が取得される（Ｓ１０２、取得ステップ）。次に、住所要求部１３により、取得した緯度経度から住所への変換が要求され（Ｓ１０３、要求ステップ）、この要求に応じて変換された住所が取得される。
【００３６】
また、これら取得ステップ及び要求ステップと並行して、情報受付部１４によりメッセージの入力が受け付けられる（Ｓ１０４、情報受付ステップ）。
【００３７】
そして最後に、送信部１５により、取得した緯度経度、住所及びメッセージが着信側携帯電話機２０に発信要求信号として送信される（Ｓ１０５、送信ステップ）。
【００３８】
続いて、発信側携帯電話機１０の出力動作について、図７を用いて説明する。図７は、発信側携帯電話機１０を使用して発信操作を行う際の画面遷移の例を示す図である。
【００３９】
着信側携帯電話機２０の電話番号を入力する際には、図７（ａ）のように、拡張機能を利用するための機能ボタンが用意される。電話番号が入力された（発信側使用者が発信操作をした）後に機能ボタンが押されると、図７（ｂ）のような拡張機能メニューが表示される。ここで発信側使用者は、メッセージを入力するための「メッセージ」を選択することができる。
【００４０】
拡張機能メニューで「メッセージ」が選択された場合、緯度経度や住所を送信するか否かを選択するためのメニューが表示される。図７の例では、図７（ｃ）で住所を送信するための「住所送信」が選択された後、図７（ｄ）で発信側携帯電話機１０の現在地の住所を送信するための「現在地測位」が選択されている。これらの操作により、緯度経度取得部１２により緯度経度が取得され、住所要求部１３により緯度経度から住所への変換の要求及び変換された住所の取得が行われる。
【００４１】
一方、表示部１０５では、図７（ｄ）の画面で「現在地測位」を選択した後すぐに、図７（ｅ）のような、メッセージ作成のための画面が表示される。ここで「メッセージ作成」が選択されると図７（ｆ）のようなメッセージ入力画面が表示され、緯度経度の取得及び緯度経度から住所への変換の要求と並行して、情報受付部１４によりメッセージの入力が受け付けられる。これにより、発信側使用者はメッセージを入力することができる。
【００４２】
メッセージが入力され「確定ボタン」が押されると、図７（ｇ）のような確認画面が表示される。発信側使用者は、この確認画面で送信する住所及びメッセージを確認することができる。また、発信側使用者は、「位置情報」アイコンの表示により、緯度経度も送信されることを確認することができる。ここで「発信ボタン」が押されることで、着信側携帯電話機２０への発信処理が行われるとともに、緯度経度、住所及びメッセージが送信される。
【００４３】
次に、図８及び図９を用いて、発信側携帯電話機１０と着信側携帯電話機２０との通信の手順について説明する。図８は、発信側携帯電話機１０と着信側携帯電話機２０との通信の手順を示すシーケンス図である。また、図９は、発信側携帯電話機１０と着信側携帯電話機２０との間で呼が接続される際に、それぞれの携帯電話機の表示部１０５に表示される画面の例を示す図である。なお、発信側携帯電話機１０において緯度経度、住所及びメッセージを取得するまでの動作（Ｓ２０１）は、図７を用いて説明したとおりである。
【００４４】
まず、発信側携帯電話機１０の送信部１５が緯度経度、住所及びメッセージの送信処理を行うと、発信側基地局３１に発信を要求する発信要求信号が送信される（Ｓ２０２）。この発信要求信号には、緯度経度、住所及びメッセージが含まれている。
【００４５】
発信側基地局３１は発信要求信号を受信し、着信側基地局３２に接続要求信号を送信する（Ｓ２０３）。着信側基地局３２は接続要求信号を受信し、着信側携帯電話機２０に着信要求信号を送信する（Ｓ２０４）。このとき、接続要求信号及び着信要求信号には、発信要求信号に含まれていた緯度経度、住所及びメッセージがそのまま受け継がれる。
【００４６】
着信側携帯電話機２０は、着信側基地局３２からの着信要求信号を受信すると、この着信要求信号を受け付けた旨の応答信号を着信側基地局３２に送信し（Ｓ２０５）、受信した緯度経度、住所及びメッセージを表示部１０５に表示する(Ｓ２０６)。例えば、図９（ａ）に示すような画面を表示する。
【００４７】
着信側携帯電話機２０は、応答信号を送信した後、着信要求を受け付けたことを示す送達通知を発信側携帯電話機１０へ送信する。この送達通知は、着信側基地局３２及び発信側基地局３１を経て（Ｓ２０７及びＳ２０８）、発信側携帯電話機１０に送信される（Ｓ２０９）。発信側携帯電話機１０は、この送達通知を受信し、着信側携帯電話機２０に緯度経度、住所及びメッセージを送信したことを示すダイアログを表示部１０５に表示する（Ｓ２１０）。例えば、図９（ｂ）に示すように、「送信しました」というメッセージを表示する。また、着信側携帯電話機２０が着信要求を受け付けたことで発信側携帯電話機１０と着信側携帯電話機２０との間で呼が接続され、着信側携帯電話機２０で呼出音が鳴動すると同時に、発信側携帯電話機１０にＲＢＴ（リングバックトーン）が返される（Ｓ２１１）。
【００４８】
以上説明した通話システム１によれば、発信操作検知部１１により発信操作が検知された場合に、緯度経度取得部１２により緯度経度が取得されるとともに、住所要求部１３により、取得した緯度経度からこの緯度経度に対応する住所への変換が要求される。また、緯度経度取得部１２による緯度経度を取得する処理及び住所要求部１３による変換を要求する処理と並行して、情報受付部１４により、発信側使用者が入力するメッセージが受け付けられる。そして、着信側携帯電話機２０への発信時に、要求に応じて変換された住所とメッセージとが着信側携帯電話機２０に送信される。これにより、発信側使用者は、発信側携帯電話機１０が住所を取得する時間及び発信側携帯電話機１０が緯度経度を取得する時間を利用してメッセージを入力することができる。その結果、発信時に位置に関する情報（緯度経度及び住所）を生成する際に発信側使用者が感じる待ち時間を短縮することができる。また、発信側携帯電話機１０の使用者は、発信の際に住所及びメッセージを着信側携帯電話機２０の使用者に効率的に伝達することができる。
【００４９】
また、上述の通話システム１によれば、発信側携帯電話機１０から着信があった場合に、着信側携帯電話機２０の受信部２１により住所及びメッセージが受信され、着信側携帯電話機２０の使用者が着信に応答する前に、情報表示部２２により、受信した住所及びメッセージが表示される。これにより、着信側携帯電話機２０の使用者は、着信に対して応答する前に、発信側携帯電話機１０から送信された住所及びメッセージを確認することができる。
【００５０】
以上、本発明をその実施形態に基づいて詳細に説明した。しかし、本発明は上記実施形態に限定されるものではない。本発明は、その要旨を逸脱しない範囲で様々な変形が可能である。
【００５１】
上述の通話システム１においては、発信操作検知部１１により発信操作が検知された場合に緯度経度取得部１２が緯度経度を取得したが、緯度経度を取得する時期はこれに限定されない。例えば、緯度経度取得部１２は、発信操作検知部１１により発信操作が検知される前に予め緯度経度を取得しておいてもよい。
【００５２】
また、上述の通話システム１では、緯度経度取得部１２による緯度経度の取得及び住所要求部１３による変換の要求と並行して情報受付部１４がメッセージの入力を受け付けたが、並行処理の内容はこれに限定されない。例えば、住所要求部１３による変換の要求のみと、情報受付部１４によるメッセージの入力の受付とが並行に行われてもよい。もちろん、緯度経度取得部１２による緯度経度の取得及び住所要求部１３による変換の要求と並行して情報受付部１４がメッセージの入力を受け付ければ、発信時に緯度経度及び住所を生成する際に使用者が感じる待ち時間を更に短縮することができるのでより好ましい。
【００５３】
また、上述の通話システム１において、発信側携帯電話機１０は、自己の存在する現在地の緯度経度を取得するためにＧＰＳを用いたが、緯度経度の取得方法はこれに限定されない。例えば、発信側基地局３１から発せられる報知用電波を受信し、受信した報知用電波に含まれる基地局情報を参照して現在地の緯度経度を測定してもよい。ＧＰＳだけでなく発信側基地局３１から発せられる報知用電波も利用することで、発信側携帯電話機１０がＧＰＳを使用できないエリア内にある場合でも、現在地の緯度経度を取得することが可能になる。
【００５４】
また、上述の通話システム１において、住所要求部１３は、緯度経度から住所への変換を住所サーバ４１に対して要求したが、この変換の要求先はこれに限定されない。例えば、図５のような、緯度経度と住所とが対応付けられているテーブルを発信側携帯電話機１０の補助記憶部１０３に格納してもよい。この場合、発信側携帯電話機１０内に設けられた住所検索部（図示せず）が住所サーバ４１に代わり住所の検索を行う。そして、住所要求部１３は、住所検索部に対して緯度経度から住所への変換を要求する。また、このテーブルを発信側携帯電話機１０の補助記憶部１０３に格納した場合は、住所要求部１３自身がテーブルを検索して緯度経度に対応する住所を取得してもよい。
【００５５】
また、上述の通話システム１において、送信部１５は、住所を送信する際に緯度経度も送信したが、メッセージとともに送信する位置に関する情報はこれに限定されない。例えば、住所のみを送信し、緯度経度を送信しないようにしてもよい。この場合でも、緯度経度取得部１２による緯度経度の取得及び住所要求部１３による変換の要求と並行して、情報受付部１４がメッセージの入力を受け付ける。また、これとは別に、緯度経度のみを送信し、住所を送信しないようにしてもよい。例えば、図７（ｃ）において「緯度経度送信」が選択された場合は、緯度経度取得部１２による緯度経度の取得と並行して、情報受付部１４がメッセージの入力を受け付ける。いずれの場合でも、発信側使用者は、発信側携帯電話機１０が位置に関する情報を生成する時間を利用してメッセージを入力することができる。
【図面の簡単な説明】
【００５６】
【図１】本実施形態に係る通話システムの構成を示す図である。
【図２】図１に示す発信側携帯電話機の機能構成を示すブロック図である。
【図３】図１に示す発信側携帯電話機のハードウェア構成を示す図である。
【図４】図１に示す住所サーバが検索するテーブルの例を示す図である。
【図５】図１に示す着信側携帯電話機の機能構成を示すブロック図である。
【図６】図１に示す発信側携帯電話機の動作を示すフローチャートである。
【図７】図１に示す発信側携帯電話機の画面遷移の例を示す図である。
【図８】図１に示す発信側携帯電話機と着信側携帯電話機との通信の手順を示すシーケンス図である。
【図９】図１に示す通話システムでの呼接続時に、発信側携帯電話機及び着信側携帯電話機に表示される画面の例を示す図である。
【符号の説明】
【００５７】
１…通話システム、１０…発信側携帯電話機（移動機）、１１…発信操作検知部（検知手段）、１２…緯度経度取得部（取得手段）、１３…住所要求部（要求手段）、１４…情報受付部（情報受付手段）、１５…送信部（送信手段）、２０…着信側携帯電話機（着信側移動機）、２１…受信部（受信手段）、２２…情報表示部（表示手段）。
【図１】
0004653016.tif 000002
【図２】
0004653016.tif 000003
【図３】
0004653016.tif 000004
【図４】
0004653016.tif 000005
【図５】
0004653016.tif 000006
【図６】
0004653016.tif 000007
【図７】
0004653016.tif 000008
【図８】
0004653016.tif 000009
【図９】
0004653016.tif 000010